【手続補正書】
【提出日】平成17年2月21日(2005.2.21)
【手続補正１】
【補正対象書類名】特許請求の範囲
【補正対象項目名】全文
【補正方法】変更
【補正の内容】
【特許請求の範囲】
【請求項１】
コンテンツ受信部において第１のプログラムコードを実行し、コンテンツプロバイダからコンテンツを受信するステップと、
前記コンテンツ受信部において第２のプログラムコードを実行し、セッションがアクティブである場合には該セッションの背後に前記コンテンツを表示するステップと、
第３のプログラムコードを実行し、前記コンテンツが表示可能である旨の通知を提供するステップとを含む、コンテンツ受信部において行われる方法。
【請求項２】
前記コンテンツ受信部において第４のプログラムコードを実行し、前記コンテンツをユーザに見えるように表示するために、前記通知子の選択に応答して前記セッションを貫通して前記コンテンツを焼き付けるステップをさらに含む請求項１に記載の方法。
【請求項３】
前記コンテンツ受信部において前記第３のプログラムコードを実行するステップが、前記セッションがアクティブであっても通知子を表示するステップをさらに含み、前記通知子は、前記コンテンツが表示可能であることを示す請求項１に記載の方法。
【請求項４】
前記通知子が視覚的通知子を含む請求項３に記載の方法。
【請求項５】
前記コンテンツ受信部において第４のプログラムコードを実行し、前記通知子がアクティブになるや否や前記コンテンツが見えるようにするステップをさらに含む請求項３に記載の方法。
【請求項６】
前記コンテンツ受信部において、前記コンテンツプロバイダから前記第１のプログラムコード、前記第２のプログラムコードおよび前記第３のプログラムコードを電子的に受信するステップをさらに含む請求項１に記載の方法。
【請求項７】
前記コンテンツ受信部において第４のプログラムコードを実行し、前記コンテンツに対してドラッグアンドドロップの動作を行い、前記コンテンツがドロップされたときに、前記コンテンツは、該コンテンツがドロップされた添付サイトに自動的に添付されるステップをさらに含む請求項１に記載の方法。
【請求項８】
演算処理装置により実行されたときに、
コンテンツプロバイダからコンテンツを受信する要求を自動的に開始し、
前記要求に応答した前記コンテンツプロバイダからの前記コンテンツを受信し、
セッションがアクティブである場合には該セッションの背後に前記コンテンツを表示する機能を行うプログラムコードを格納したコンピュータ読取可能な記憶媒体。
【請求項９】
前記プログラムコードの実行により、前記コンテンツがユーザに表示されるように前記セッションを貫通して前記コンテンツを焼き付ける付加的な機能を行う請求項８に記載のコンピュータ読取可能な記憶媒体。
【請求項１０】
前記プログラムコードの実行により、前記コンテンツが表示可能であることを示す通知子を表示する付加的な機能を行う請求項８に記載のコンピュータ読取可能な記憶媒体。
【請求項１１】
前記通知子がアイコンである請求項１０に記載のコンピュータ読取可能な記憶媒体。
【請求項１２】
前記プログラムコードの実行により、前記通知子がアクティブになるや否や前記コンテンツが見えるようにする付加的な機能を行う請求項１０に記載のコンピュータ読取可能な記憶媒体。
【請求項１３】
前記コンピュータが前記プログラムコードを電子的に受信するとともに、前記プログラムコードを前記コンピュータ読取可能な記憶媒体に格納する請求項８に記載のコンピュータ読取可能な記憶媒体。
【請求項１４】
前記プログラムコードの実行により、前記コンテンツに対してドラッグアンドドロップの動作を行い、前記コンテンツがドロップされた添付サイトに前記コンテンツを自動的に添付する付加的な機能を行う請求項８に記載のコンピュータ読取可能な記憶媒体。
【請求項１５】
コンテンツプロバイダにおいて第１のプログラムコードを実行し、コンテンツ受信部がアクセスするためのコンテンツを掲載するステップと、
前記コンテンツ受信部において第２のプログラムコードを実行し、自動的に（ｉ）前記コンテンツプロバイダにアクセスして、（ｉｉ）コンテンツ受信部による掲載されたコンテンツの受信を開始し、（ｉｉｉ）前記掲載されたコンテンツを受信し、さらに、（ｉｖ）セッションがアクティブである場合には該セッションの背後に前記掲載されたコンテンツを表示するステップとを含む方法。
【請求項１６】
前記コンテンツ受信部において第３のプログラムコードを実行し、前記コンテンツをユーザに見えるように表示するために前記セッションを貫通して前記コンテンツを焼き付けるステップをさらに含む請求項１５に記載の方法。
【請求項１７】
前記コンテンツ受信部において第３のプログラムコードを実行し、前記セッションがアクティブであっても通知子を表示するステップをさらに含み、前記通知子は、前記コンテンツが表示可能であることを示す請求項１５に記載の方法。
【請求項１８】
前記通知子が可聴式通知子である請求項１７に記載の方法。
【請求項１９】
前記コンテンツ受信部において第４のプログラムコードを実行し、前記通知子がアクティブになるや否や前記コンテンツが見えるようにするステップをさらに含む請求項１７に記載の方法。
【請求項２０】
前記コンテンツ受信部において、前記コンテンツプロバイダから前記第２のプログラムコードを電子的に受信するステップをさらに含む請求項１５に記載の方法。
【請求項２１】
前記コンテンツ受信部において第３のプログラムコードを実行し、前記コンテンツに対してドラッグアンドドロップの動作を行い、前記コンテンツがドロップされたときに、前記コンテンツは、該コンテンツがドロップされた添付サイトに自動的に添付されるステップをさらに含む請求項１５に記載の方法。
【手続補正２】
【補正対象書類名】明細書
【補正対象項目名】発明の名称
【補正方法】変更
【補正の内容】
【発明の名称】コンテンツ受信部（ｒｅｃｉｐｉｅｎｔ）において行われる方法およびコンピュータ読取可能な記憶媒体
【手続補正３】
【補正対象書類名】明細書
【補正対象項目名】０００１
【補正方法】変更
【補正の内容】
【０００１】
本発明は、コンテンツ提供者（ｐｒｏｖｉｄｅｒ：プロバイダともよばれる）サイトに掲載されたソフトウエア・ノートへのコンテンツ受信者によるアクセスを可能にする装置に関する。
【手続補正４】
【補正対象書類名】明細書
【補正対象項目名】００２４
【補正方法】変更
【補正の内容】
【００２４】
図５および図６に示すように、通知子８２は２つの部分を有する。第１の部分８２ａは、一般的には図３に示したノート２２のようなノートパッドを表す記号である。第２の部分８２ｂは、一般的にはノート面を表示するパーソナルコンピュータを表す記号である。第１および／または第２の部分８２ａおよび／または８２ｂは点滅するように構成して、ノートが受信されたもののコンテンツ受信者が未だ開いていないことを示すようにしてもよい。さらに、第１および／または第２の部分８２ａおよび／または８２ｂはシステムトレイ内、システムツールバー内、またはアプリケーションバー内等の他の位置であってもよい。
【手続補正５】
【補正対象書類名】明細書
【補正対象項目名】００４３
【補正方法】変更
【補正の内容】
【００４３】
図１１に示すように、第一者の役目をするコンテンツ提供者１５０によってノート２２を新たに掲載することができる。コンテンツ受信者１５２は、プログラム６０を用いてノートの取得などのノートに関するアクティビティを行うが、ここでコンテンツ受信者１５２は第二者である。コンテンツ提供者１５０によって掲載されるコンテンツは、コンテンツ供給者１５４によってコンテンツ提供者１５０に供給される。支払いは、コンテンツ提供者１５０によって受取人１５６に対して行われる。このモデルの例では、受取人１５６は、コンテンツ供給者１５４の債権者、財政的な後援者、または全プロセスの支援者である場合もあり、コンテンツ提供者１５０は受取人１５６への料金の支払いに同意している。料金は定額料金、あるいはコンテンツ受信者１５２がコンテンツにアクセスするか、購入するか、もしくは逆にそのコンテンツに基づいて価値のあるものを提供する毎に支払う料金等である場合もある。図１０の場合と同様に、図１１のビジネスモデルにおいて他の料金も支払われることもある。